(57)【要約】      （修正有）【課題】ユーザー機器は基地局のアンテナ配置を知ることができることで、ユーザー機器がチャネルを推定及び測定する際に、基地局の配置に合わせ、３Ｄ  ＭＩＭＯシステムの伝送を向上させることができる電子機器及び無線通信方法を提供する。【解決手段】電子機器４００は、アンテナアレイ４２０が多次元偏波方向の複数のアンテナユニットを含む無線通信システムにおける基地局からのＲＲＣシグナリングから、アンテナ配置情報を抽出し、アンテナアレイに基づいて特定されるフィードバック情報を基地局に送信する、各処理を実行する一つ又は複数の処理回路４１０を含む。【選択図】図４
2020114014.tif 000002
【特許請求の範囲】
【請求項１】
無線通信システムにおける電子機器であって、
アンテナアレイが多次元偏波方向の複数のアンテナユニットを含む前記無線通信システムにおける基地局からのＲＲＣシグナリングから、アンテナ配置情報を抽出し、
前記アンテナアレイに基づいて特定されるフィードバック情報を前記基地局に送信する、
各処理を実行する一つ又は複数の処理回路を含む、電子機器。
【請求項２】
前記アンテナ配置情報は、前記基地局のアンテナアレイ内のトランシーバーユニットＴＸＲＵの数を得るために用いられ、
各ＴＸＲＵは同じ偏波方向を有する一組のアンテナユニットに関し、前記アンテナアレイはＭ行、Ｎ列、Ｐ次元偏波方向の複数のアンテナユニットを有する（Ｍ、Ｎ、Ｐが自然数である）、
請求項１に記載の電子機器。
【請求項３】
ユーザー機器は、前記アンテナアレイ内のＴＸＲＵの数を得るために前記アンテナ配置情報を用いる、請求項２に記載の電子機器。
【請求項４】
前記アンテナ配置情報は、少なくともパラメーターＭＴＸＲＵに関する情報を得るために用いられて前記アンテナアレイの列ごとの各次元偏波方向のＴＸＲＵの数を指示する、請求項３に記載の電子機器。
【請求項５】
パラメーターＭＴＸＲＵの値の範囲は、少なくとも、１、２、４、８を含み、パラメーターＭＴＸＲＵの値がパラメーターＭの値以下である、請求項４に記載の電子機器。
【請求項６】
前記処理回路はさらに、前記ＲＲＣシグナリングから、３次元マルチ入力・マルチ出力３Ｄ  ＭＩＭＯ／フル次元マルチ入力・マルチ出力ＦＤ  ＭＩＭＯシステムに利用可能なアンテナポート数に関する情報を抽出し、前記ＴＸＲＵの数を特定する、請求項３に記載の電子機器。
【請求項７】
アンテナ配置パラメーターは、パラメーターＭＴＸＲＵ、パラメーターＭ、パラメーターＮ、パラメーターＰを含む、請求項４に記載の電子機器。
【請求項８】
前記一つ又は複数の処理回路は、前記ＲＲＣシグナリングにおけるアンテナ通知情報ユニットと、チャネル状態情報参照信号ＣＳＩ−ＲＳ配置情報ユニットと、コードブックサブセット制限情報ユニットとの少なくとも一つを解析して、前記アンテナ配置情報を得る、請求項４に記載の電子機器。
【請求項９】
前記一つ又は複数の処理回路は、前記アンテナ配置情報に基づいて、チャネル状態情報ＣＳＩフィードバックコードブックと、ＣＳＩフィードバック方案との少なくとも一つを選択する、請求項３に記載の電子機器。
【請求項１０】
無線通信システムにおいて無線通信を行うための方法であって、
アンテナアレイが多次元偏波方向の複数のアンテナユニットを含む前記無線通信システムにおける基地局からのＲＲＣシグナリングから、アンテナ配置情報を抽出し、
前記アンテナアレイに基づいて特定されるフィードバック情報を前記基地局に送信する、
方法。
【発明の詳細な説明】
【技術分野】
【０００１】
本開示は、無線通信の技術分野に関し、具体的に、無線通信システムにおける電子機器と、無線通信システムにおいて無線通信を行うための方法に関する。
【背景技術】
【０００２】
この部分は、本開示に関する背景情報を提供し、必ず従来の技術ではない。
【０００３】
通信技術の発展につれて、ＬＴＥ（Ｌｏｎｇ  Ｔｅｒｍ  Ｅｖｏｌｕｔｉｏｎ：ロング・ターム・エボリューション）における垂直ビームフォーミング／ＦＤ  ＭＩＭＯ（Ｆｕｌｌ−Ｄｉｍｅｎｓｉｏｎ  Ｍｕｌｔｉｐｌｅ−Ｉｎｐｕｔ  Ｍｕｌｔｉｐｌｅ−Ｏｕｔｐｕｔ，フル次元マルチ入力・マルチ出力）の研究を開始したようになっている。なお、垂直ビームフォーミング／ＦＤ  ＭＩＭＯと伝統の伝送システムとの間の違いは、垂直次元の導入と、より多いアンテナの使用にある。
【０００４】
一方、垂直次元の導入につれて、さらに、２Ｄアンテナアレイが提案された。また、大規模アンテナを便宜的に記述するために、ＴＸＲＵ（ｔｒａｎｓｃｅｉｖｅｒ  ｕｎｉｔ：トランシーバーユニット）の概念も相応して提出されたようになる。ＴＸＲＵは、独立した相位と幅の無線送受信機ユニットである。
【０００５】
３Ｄ  ＭＩＭＯシステムには、さまざまなアンテナアレイの組合せが存在する。一方、ＴＸＲＵの数は可変であり、同じＴＸＲＵ数も異なるアンテナ配置に対応する。異なるアンテナ配置も物理チャネル特徴の違いを招き、この場合、基地局は、異なるコードブックを選択して物理チャネル特徴を反映すべきである。また、異なるアンテナ配置はさらに基地局が参照信号を送信する方式、及びＵＥ（Ｕｓｅｒ  Ｅｑｕｉｐｍｅｎｔ：ユーザー機器）が無線チャネル特徴を測定及びフィードバックする方式を影響してしまう。従って、伝送効率を向上させるために、ＵＥへ基地局側のアンテナ配置を通知することは十分に必要である。
【０００６】
３Ｄ  ＭＩＭＯシステムでは、２Ｄアンテナアレイを使用したので、既存の１Ｄアンテナアレイ情報に用いられる通知ユニットがもはや適用できない。
【０００７】
従って、２Ｄアンテナアレイと３Ｄ  ＭＩＭＯシステムとにサービスするための基地局からユーザー側へのアンテナ配置伝送設計を新規に提出する必要がある。
【０００８】
この部分は、本開示の一般的概要を提供し、全部の範囲又は全部の特徴の完全な開示ではない。
【発明の概要】
【発明が解決しようとする課題】
【０００９】
本開示の目的としては、ユーザー機器が基地局のアンテナ配置を得ることで、ユーザー機器がチャネルを推定及び測定する際に、基地局の配置に合わせ、３Ｄ  ＭＩＭＯシステムの伝送を向上させることができるような無線通信システムにおける電子機器と、無線通信システムにおいて無線通信を行うための方法を提供する。
【課題を解決するための手段】
【００１０】
本開示の一局面によれば、無線通信システムにおける電子機器を提供し、当該当該電子機器は、アンテナアレイが多次元偏波方向の複数のアンテナユニットを含む前記無線通信システムにおける基地局からのＲＲＣシグナリングから、アンテナ配置情報を抽出し、前記アンテナアレイに基づいて特定されるフィードバック情報を前記基地局に送信する、各処理を実行する一つ又は複数の処理回路を含む。
【００１１】
本開示の他の一局面によれば、無線通信システムにおいて無線通信を行うための方法を提供し、当該方法は、アンテナアレイが多次元偏波方向の複数のアンテナユニットを含む前記無線通信システムにおける基地局からのＲＲＣシグナリングから、アンテナ配置情報を抽出し、前記アンテナアレイに基づいて特定されるフィードバック情報を前記基地局に送信する。
【００１２】
本開示による無線通信システムにおける電子機器と無線通信システムに無線通信を行うための方法を使用すると、ＲＲＣシグナリングを介してアンテナ配置情報を伝送でき、当該アンテナ配置情報はアンテナアレイ内のＴＸＲＵの数を得るために用いられてもよい。こうすることによって、ユーザー機器は基地局のアンテナ配置を知ることができることで、ユーザー機器がチャネルを推定及び測定する際に、基地局の配置に合わせ、３Ｄ  ＭＩＭＯシステムの伝送を向上させることができる。
【００１３】
さらなる用途の範囲は、本明細書に提供される記述より明らかになるだろう。本概要の記述および具体例は、説明のみを目的としており、本開示の範囲を限定するように意図されるものではない。
【図面の簡単な説明】
【００１４】
ここに記載される図面は、選択された実施例の例示を目的としておりすべての可能な実施ではなく、本開示の範囲を限定するように意図されるものではない。
【図１】ＴＸＲＵとアンテナとの間の関係の例を図示する図である。
【図２】ＴＸＲＵとアンテナとの間の関係の他の例を図示する図である。
【図３】２Ｄ交差偏波アンテナアレイを図示する模式図である。
【図４】本開示の実施例による、無線通信システムにおける電子機器の構造を図示するブロック図である。
【図５】アンテナアレイにおけるＴＸＲＵ配置の例を図示する模式図である。
【図６】アンテナアレイにおけるＴＸＲＵ配置の他の例を図示する模式図である。
【図７】本開示の実施例による、無線通信システムにおける電子機器の構造を図示するブロック図である。
【図８】本開示の実施例による、無線通信システムにおいて無線通信を行うための方法を図示するシーケンス図である。
【図９】２行４列に並べた８ＣＳＩ−ＲＳ（ｃｈａｎｎｅｌ  ｓｔａｔｅ  ｉｎｆｏｒｍａｔｉｏｎ  ｒｅｆｅｒｅｎｃｅ  ｓｉｇｎａｌ：チャネル状態情報参照信号）の例を示す図である。
【図１０】本開示に適用するｅＮＢ（ｅｖｏｌｕｔｉｏｎ  Ｎｏｄｅ  Ｂａｓｅ  Ｓｔａｔｉｏｎ：進化型ノード基地局）の例示的配置の第一の例を示すブロック図である。
【図１１】本開示に適用するｅＮＢの例示的配置の第二の例を示すブロック図である。
【図１２】本開示に適用するスマートフォンの例示的配置の例を示すブロック図である。
【図１３】本開示に適用するカーナビゲーション装置の例示的配置の例を示すブロック図である。
【発明を実施するための形態】
【００１５】
本開示は容易に様々な修正及び置換形式に供するが、その特定の実施例は既に例として図面に示され、ここで詳細に記述する。しかしながら、ここで特定の実施例に対する記述は本開示を開示される具体的な形式に限定するものではなく、逆に、本開示の目的は本開示の精神と範囲に入る全ての修正、等価、置換をカバーすることであることが理解される。それに、幾つかの図面にわたって、相応する符号が相応する部品を指す。
具体実施方式
【００１６】
ここで、図面を参照して本開示の例をより十分に記述する。以下の記述は実際に例示的なものであり、本開示、応用又は用途を限定するものではない。
【００１７】
本開示を詳しくするために、例示実施例を提供し、そして、当業者にその範囲を十分に伝える。多くの特定の細部、例えば、特定の部品、装置及び方法の例を述べて、本開示の実施例の詳しい理解を提供する。当業者にとって、特定の細部を使用する必要がなく、例示実施例は多い異なる形態にて実施され、それらはいずれも本開示の範囲を限定すると理解されるべきではない明らかであろう。幾つかの例示実施例において、よく知られるプロセス、よく知られる構成及びよく知られる技術を詳細に記述しない。
【００１８】
本開示にかかるＵＥ（Ｕｓｅｒ  Ｅｑｕｉｐｍｅｎｔ：ユーザー機器）は移動端末、コンピューター、車載デバイスなどの無線通信機能を有する端末を含むがこれに限定されるものではない。さらに、本開示にかかるＵＥはＵＥそのもの、又はその中の部品で例えばチップであってもよい。また、本開示にかかる基地局は、例えば、ｅＮＢ（ｅｖｏｌｕｔｉｏｎ  Ｎｏｄｅ  Ｂａｓｅ  Ｓｔａｔｉｏｎ：進化型ノード基地局）又は、ｅＮＢにおける部品で例えばチップであってもよい。
【００１９】
ＴＸＲＵ（ｔｒａｎｓｃｅｉｖｅｒ  ｕｎｉｔ：トランシーバーユニット）は、独立した相位と幅を有する無線送受信機ユニットである。図１と２は、ＴＸＲＵとアンテナとの間の関係の二つの例を図示している。図１と２において、ｑは１例内のＭ個の同じ偏波アンテナユニットにおけるＴｘ信号ベクトルであり、ｗとＷとは、それぞれ、広帯ＴＸＲＵ仮想化重みベクトルとマトリックスであり、ｘはＭＴＸＲＵ個の第一ＴＸＲＵにおけるＴＸＲＵ信号ベクトルである。パラメーターＭＴＸＲＵはアンテナアレイにおける列ごとの各次元偏波方向のＴＸＲＵの数を指示する。
【００２０】
２Ｄアンテナアレイにおいて、アンテナの数は（Ｍ，Ｎ，Ｐ）として示してもよく、なお、Ｍは列ごとに同じ偏波方向を有するアンテナ数であり、Ｎは、アンテナアレイの列数であり、そして、Ｐはアンテナ偏波方向の次元数である。図３は、交差偏波の２Ｄアンテナアレイを示している。図３に示すように、当該アンテナアレイは、Ｍ行、Ｎ列、２次元偏波方向の複数のアンテナユニットを有する。図３に示すアンテナユニットにおいて、実線は一つの偏波方向を示し、破線は他の一つの偏波方向を示している。
【００２１】
ＴＸＲＵの概念に基づいて、アンテナ数（Ｍ，Ｎ，Ｐ）は、ＴＸＲＵの数（ＭＴＸＲＵ，Ｎ，Ｐ）に変換することができる。現在、既に、ＭＴＸＲＵの値について合意している。さらに、現在、無線通信技術分野において、ＴＸＲＵ設置についても合意しており、表１に示すとおりである。
【表１】
2020114014.tif 000003
【００２２】
図１から分るように、３Ｄ  ＭＩＭＯ（３−Ｄｉｍｅｎｓｉｏｎ  Ｍｕｌｔｉｐｌｅ−Ｉｎｐｕｔ  Ｍｕｌｔｉｐｌｅ−Ｏｕｔｐｕｔ：３次元マルチ入力・マルチ出力）システムには、さまざまなアンテナアレイの組合せがある。一方、ＴＸＲＵの数も、４から６４に変化することができ、そして、同じＴＸＲＵ数も異なるアンテナ配置に対応する。異なるアンテナ配置も物理チャネル特徴の違いを招き、この場合、基地局は、異なるコードブックを選択して物理チャネル特徴を反映すべきである。なお、異なるアンテナ配置も基地局が参照信号を送信する方式、及びＵＥが無線チャネル特徴を測定及びフィードバックする方式を影響してしまう。よって、伝送効率を向上させるために、ＵＥへ基地局側のアンテナを通知することは十分に必要である。従って、本開示は、２Ｄアンテナアレイと３Ｄ  ＭＩＭＯシステムとにサービスするため基地局からユーザー側へのアンテナ配置伝送設計を新規に提案する。
【００２３】
図４は、本開示の実施例による、無線通信システムにおける電子機器４００の構造を図示している。図４に示すように、電子機器４００は処理回路４１０を含むことができる。なお、電子機器４００は、一つの処理回路４１０を含んでもよく、複数の処理回路４１０を含んでもよい。また、電子機器４００は、アンテナアレイ４２０、通信ユニット４３０などをさらに含んでもよい。
【００２４】
処理回路４１０は、電子機器４００に対応するアンテナアレイ４２０に基づいて、相応するＴＸＲＵ配置を確定するという操作を実行するように配置されている。以上で言及されたように、各ＴＸＲＵは、同じ偏波方向を有する一組のアンテナユニットに関し、前記アンテナアレイは、Ｍ行、Ｎ列、Ｐ次元偏波方向の複数のアンテナユニットを有する（Ｍ、Ｎ、Ｐが自然数である）。
当業者は、処理回路４１０は、別々の機能ユニットを含んで各種の異なる機能及び／又は操作を実行することができると意識される。なお、これらの機能ユニットは、物理実体又は論理実体であってもよく、異なる呼称のユニットは同一の物理実体により実現され得る。
例えば、処理回路４１０には、アンテナアレイ４２０に基づいて相応するＴＸＲＵ配置を確定することができる確定ユニット（未図示）を含んでもよい。
【００２５】
さらに、処理回路４１０は、アンテナ配置情報をＲＲＣ（Ｒａｄｉｏ  Ｒｅｓｏｕｒｃｅ  Ｃｏｎｔｒｏｌ：無線リソース制御）シグナリングに添加して無線通信システムにおけるＵＥのために用いられるという操作を実行するように配置されている。ここで、アンテナ配置情報は、アンテナアレイ４２０におけるＴＸＲＵの数を得るために用いられ得る。相応して、処理回路４１０には、アンテナ配置情報をＲＲＣシグナリングに添加することができる添加ユニット（未図示）を含んでもよい。
【００２６】
本開示の実施例による電子機器４００を使用して、ＲＲＣシグナリングを介してアンテナ配置情報を伝送してもよく、当該アンテナ配置情報はアンテナアレイ４２０におけるＴＸＲＵの数を得るために用いられてもよい。ＲＲＣシグナリングにより通知するので、ブロードキャストリソースを節約し、ＴＸＲＵ伝送をサポートするＵＥに対して通知を行うことで伝統のＵＥの不必要な解析を減少することができる。このようにすれば、ＴＸＲＵ配置情報の有効な伝送を実現するようになる。
【００２７】
図５は、アンテナアレイにおけるＴＸＲＵ配置の例を示している。図５に示すように、アンテナアレイ配置（８，４，２，１６）において、アンテナアレイは８行、４列、２次元偏波方向の複数のアンテナユニットを有し、そして、１６個のＴＸＲＵを有する。なお、破線枠ごとにおける同一の偏波方向は同一ＴＸＲＵに属するとともに、アンテナアレイは２次元偏波方向を有するので、それぞれの破線枠は二つのＴＸＲＵに対応する。類似して、アンテナアレイ配置（８，４，２，３２）において、アンテナアレイは８行、４列、２次元偏波方向の複数のアンテナユニットを有し、そして、３２個のＴＸＲＵを有する。アンテナアレイ配置（８，４，２，６４）において、アンテナアレイは８行、４列、２次元偏波方向の複数のアンテナユニットを有するとともに、６４個のＴＸＲＵを有する。
【００２８】
図５から分るように、２Ｄアンテナアレイにおいて、アンテナアレイの配置（Ｍ，Ｎ，Ｐ）は同じであっても、異なるＴＸＲＵ数を有する可能性がある。従って、ＴＸＲＵ配置情報の有効な伝送が必要である。
【００２９】
本開示の好適な実施例によれば、アンテナ配置情報は、少なくともパラメーターＭＴＸＲＵに関する情報を得るために用いられてアンテナアレイ４２０の列ごとの各次元偏波方向のＴＸＲＵの数を指示することが可能である。言い換えれば、パラメーターＭＴＸＲＵとは、アンテナアレイ４２０の列ごとの各次元偏波方向のＴＸＲＵの数を指す。
【００３０】
図６は、アンテナアレイにおけるＴＸＲＵ配置の他の例を示している。図６に示すように、アンテナアレイ配置（８，４，２，２）において、アンテナアレイは、８行、４列、２次元偏波方向の複数のアンテナユニットを有するとともに、アンテナアレイの列ごとの各次元偏波方向は二つのＴＸＲＵを有する。なお、それぞれの破線枠における同一の偏波方向は同一のＴＸＲＵに属するとともに、アンテナアレイは２次元偏波方向を有するので、それぞれの破線枠は二つのＴＸＲＵに対応する。類似して、アンテナアレイ配置（８，４，２，４）において、アンテナアレイは、８行、４列、２次元偏波方向の複数のアンテナユニットを有するとともに、アンテナアレイの列ごとの各次元偏波方向は４個のＴＸＲＵを有する。アンテナアレイ配置（８，４，２，８）において、アンテナアレイは、８行、４列、２次元偏波方向の複数のアンテナユニットを有するとともに、アンテナアレイの列ごとの各次元偏波方向は８個のＴＸＲＵを有する。
なお、アンテナアレイ配置のパラメーターＭＴＸＲＵ，Ｍ，Ｎ，Ｐの指示は、さまざまな並べ順位を有してもよく、当該順位は送受信の両方で予め統一しておければよい。図６の例において、パラメーターの行列は（Ｍ，Ｎ，Ｐ，ＭＴＸＲＵ）であり、後の記述でパラメーターの行列（ＭＴＸＲＵ，Ｍ，Ｎ，Ｐ）を例として説明する。
【００３１】
本開示の好適な実施例によれば、パラメーターＭＴＸＲＵの値の範囲は、少なくとも１、２、４、８を含み得、そして、パラメーターＭＴＸＲＵの値はパラメーターＭの値以下である。表１のアンテナ配置構成によって、パラメーターＭＴＸＲＵの値の範囲及びパラメーターＭとの関係を得ることもできる。
【００３２】
本開示の好適な実施例によれば、ＲＲＣシグナリングには３Ｄ  ＭＩＭＯ（３−Ｄｉｍｅｎｓｉｏｎ  Ｍｕｌｔｉｐｌｅ−Ｉｎｐｕｔ  Ｍｕｌｔｉｐｌｅ−Ｏｕｔｐｕｔ：３次元マルチ入力・マルチ出力）／ＦＤ  ＭＩＭＯ（Ｆｕｌｌ−Ｄｉｍｅｎｓｉｏｎ  Ｍｕｌｔｉｐｌｅ−Ｉｎｐｕｔ  Ｍｕｌｔｉｐｌｅ−Ｏｕｔｐｕｔ：フル次元マルチ入力・マルチ出力）システムに利用可能なアンテナポート数に関する情報を含んで、ＴＸＲＵの数を指示してもよい。ＴＸＲＵの数とアンテナのポート数とが等しいので、ＲＲＣシグナリングには既にアンテナポート数に関する情報が含まれている際に、当該情報を３Ｄ  ＭＩＭＯ／ＦＤ  ＭＩＭＯシステムに用いてＴＸＲＵの数を指示してもよい。
【００３３】
本開示の好適な実施例によれば、アンテナ配置情報は、明示的にアンテナ配置パラメーターに関する情報を含んでもよく、暗黙的にアンテナ配置パラメーターに関する情報を含んでもよい。次に、まず、アンテナ配置情報が明示的にアンテナ配置パラメーターに関する情報を含む場合について詳細に記述する。
【００３４】
発明者は、アンテナ通知情報ユニット（ａｎｔｅｎｎａｉｎｆｏ  ｉｎｆｏｒｍａｔｉｏｎ  ｅｌｅｍｅｎｔｓ）が無線リソース制御情報の一部としてＲＲＣ情報ユニットに定義されていることを知っている。アンテナ通知情報ユニットのプロセスと構成は以下に示すとおりである。
【表２】
2020114014.tif 000004
【表３】
2020114014.tif 000005
【００３５】
以上のアンテナ通知情報ユニットでは、ＵＥに通知された内容は、アンテナポート数（ａｎｔｅｎｎａ  ｐｏｒｔ）と、伝送モード（ｔｒａｎｓｍｉｓｓｉｏｎ  ｍｏｄｅ）と、対応するコードブックサブセット制限（ｃｏｄｅｂｏｏｋ  ｓｕｂｓｅｔ  ｒｅｓｔｒｉｃｔｉｏｎ）とがあることが分かる。アンテナ通知情報ユニットは無線リソース制御（ＲＲＣ）情報ユニットの一部であるので、アンテナ通知情報はＵＥがランダムアクセスを行う過程でＵＥに伝送すべきである。ＵＥがランダムアクセスの過程である場合に、ＵＥはランダムアクセスチャネルで基地局へＲＲＣ接続要求シグナリングを送信してＲＲＣ接続を確立する。それから、基地局は、フォワードアクセスチャネルでＵＥへＲＲＣ接続確立シグナリングを送信し、アンテナ通知情報ユニットがその中に含まれている。また、コードブックサブセット制限は、ＣＳＩプロセス（ＣＳＩ−Ｐｒｏｃｅｓｓ）情報ユニットで伝送されてよい。この場合、コードブックサブセット制限は、依然として、ＣＳＩプロセス情報ユニットで伝送されてもよい。一方、現在のアンテナ通知情報ユニットの完全性を確保するために、幾つかのアンテナ通信情報のみを添加し、現在の情報ユニットを変更しないことが望ましい。
【００３６】
本開示の好適な実施例によれば、アンテナ配置情報に含まれているアンテナ配置パラメーターは、パラメーターＭＴＸＲＵ、パラメーターＭ、パラメーターＮ、パラメーターＰ及びその組合せの一つ又は複数を含んでもよい。より好ましくは、アンテナ配置パラメーターは、パラメーターＭＴＸＲＵ、パラメーターＭ、パラメーターＮ、パラメーターＰを含んでもよい。
【００３７】
また、本開示の好適な実施例によれば、処理回路４１０（例えば、処理回路４１０に含まれる添加ユニット）は、アンテナ配置情報を、ＲＲＣシグナリングにおけるアンテナ通知情報ユニット又はＣＳＩ−ＲＳ（ｃｈａｎｎｅｌ  ｓｔａｔｅ  ｉｎｆｏｒｍａｔｉｏｎ  ｒｅｆｅｒｅｎｃｅ  ｓｉｇｎａｌ：チャネル状態情報参照信号）配置情報ユニットに添加してもよい。
【００３８】
具体的に、例えば、ＡｎｔｅｎｎａＩｎｆｏＤｅｄｉｃａｔｅｄ−ｒ１３に名前がａｎｔｅｎｎａＮｕｍｂｅｒＣｏｕｎｔであるユニットを添加してもよい。このユニットは４個のパラメーター（ＭＴＸＲＵ，Ｍ，Ｎ，Ｐ）を含んでいる。表１におけるアンテナ配置に合わせるために、Ｍは４と８に等しくてもよく、Ｎは、１、２又は４に等しくてもよく、Ｐは、１又は２に等しくてもよく、対応するＭＴＸＲＵは表１から得てもよい。この部分は新しく添加した内容であるので、それは伝統の内容の後に現れるはずであり、変更した後のアンテナ通知情報ユニットは以下に示すとおりである。
【表４】
2020114014.tif 000006
【００３９】
基地局がＵＥへこれらのパラメーターを通知する場合に、予定のビット数でアンテナ配置パラメーターの実際値又は実際値の関数を示してもよい。例えば、１又は２ビットでこれらのアンテナパラメーター、又はこれらのアンテナパラメーターを伝送する実際値を指示してもよい。さらに、これらのアンテナパラメーターはいずれも２の指数関数の形であるので、基地局は例えば、ｌｏｇ２（ＭＴＸＲＵ，Ｍ，Ｎ，Ｐ）の形でこれらのパラメーターを伝送することを選択してもよい。
【００４０】
一方、パラメーター行列（ＭＴＸＲＵ，Ｍ，Ｎ，Ｐ）については、基地局はパラメーターＭＴＸＲＵ又はＭの代わり、パラメーターＭ／ＭＴＸＲＵを使用してもよい。この場合、一つのシステムにおいて、パラメーターＭ／ＭＴＸＲＵは固定であれば、当該パラメーターは独立して伝送されることが可能であり、これにより、いくつかのシステムオーバーヘッドを低減させることができる。そして、一つのＴＸＲＵにおけるアンテナ数が固定であれば、ＵＥはＴＸＲＵ数によりシステムアンテナ総数を得ることができることで、パラメーター行列（Ｍ，Ｎ，Ｐ）中で二つのパラメーターのみを伝送する必要がある。
【００４１】
他の一種のＴＸＲＵ数を得る方法は、ＣＳＩ−ＲＳ−Ｃｏｎｆｉｇ情報ユニットで名称がＣＳＩ−ＲＳ−Ｃｏｎｆｉｇ−ｒ１３である新しい部分を定義し、その中にａｎｔｅｎｎａＰｏｒｔｓＣｏｕｎｔ−ｒ１３を含むことである。ＴＸＲＵの数はアンテナのポート数に等しいので、ＴＸＲＵの数はこの新部分から得ることができる。修正後のＣＳＩ−ＲＳ−Ｃｏｎｆｉｇ情報ユニットは、以下に示すとおりである。
【表５】
2020114014.tif 000007
【００４２】
ａｎｔｅｎｎａＰｏｒｔｓＣｏｕｎｔ−ｒ１３を利用して、ユーザーはＴＸＲＵ数を得ることができる。すると、当該方案において、パラメーター行列（ＭＴＸＲＵ，Ｍ，Ｎ，Ｐ）は（Ｍ，Ｎ，Ｐ）に簡略化されてもよく、アンテナパラメーターはＴＸＲＵ数を知った後に得られてもよい。一方、パラメーター行列（Ｍ，Ｎ，Ｐ）は、ＣＳＩ−ＲＳ−Ｃｏｎｆｉｇ−ｒ１３で明示的に伝送されてもよい。
【００４３】
アンテナ配置情報に暗黙的にアンテナ配置パラメーターに関する情報を含む場合について詳細に記述する。
【００４４】
本開示の好適な実施例によれば、処理回路４１０（例えば、処理回路４１０に含まれる添加ユニット）は、ＲＲＣシグナリングにおけるコードブックサブセット制限を利用してアンテナ配置情報を添加することができる。より好ましくは、処理回路４１０（例えば、処理回路４１０に含まれる添加ユニット）は、コードブックサブセット制限における、コードブックを選択するためのビット列に予定のビット数を添加することでアンテナ配置情報を表現してもよい。代わりに、処理回路４１０（例えば、処理回路４１０に含まれる添加ユニット）はコードブックサブセット制限にコードブックインデックスを添加することでアンテナ配置情報を表現してもよい。
【００４５】
具体的に、本開示は、新しい伝送モードを提出し、コードブックサブセット制限で異なるアンテナ配置を区分する。まず、垂直ビームフォーミング／ＦＤ  ＭＩＭＯシステムに利用可能な新伝送モードを提出する。この新しい伝送モードは、アンテナ数とＴＸＲＵ数情報を含むコードブックサブセット制限を定義している。従来のアンテナ通知情報ユニットでは、ｃｏｄｅｂｏｏｋＳｕｂｓｅｔＲｅｓｔｒｉｃｔｉｏｎ部分において、伝送状況はアンテナポート数で区分されることが分かる。新しい伝送モードでは、伝送状況は、依然として、アンテナポート数で区分されるようになる。アンテナポート数はＴＸＲＵの数と等しいので、伝送状況はＴＸＲＵ数で区分されると言える。表１から分るように、ＴＸＲＵ数は、４、８、１６、３２又は６４と等しくてもよい。一方、コードブックを選択するためのビット列に若干のビットを添加して同じＴＸＲＵ数下の異なるアンテナ配置状態を区分してもよい。変更後のアンテナ情報伝送ユニットは以下に示すとおりである。
【表６】
2020114014.tif 000008
【００４６】
表１において同じＴＸＲＵ数の場合に異なるアンテナ配置に対応する可能性があるので、若干のビットがビット列の先端に添加されて異なるアンテナ配置を区別する。ＵＥがビット列を受信した際に、ＵＥは、アンテナポート数に応じて添加されたビットを切り出し、アンテナ配置を判断すべきである。４アンテナポートの場合について、そのビット列の長さが９６であることを仮定する。一方、表１において、４ＴＸＲＵの場合につて、一種のアンテナ配置しかないので、添加するビット数は０である。８アンテナポートの場合について、そのビット列の長さが１０９であることを仮定する。表１において、８ＴＸＲＵについて５種のアンテナ配置があるので、添加されたビット数は３である。１６、３２、６４のアンテナポートの場合について、この三種の場合のビット対応表の構成方式は８アンテナポートの場合と類似することを仮定し、ただビット対応表の規模はより大きくなる。表１から、１６、３２、６４のアンテナポートの場合について、対応する添加ビットの数は１、１、０であることが分かる。よって、この三種の場合に対応するビット列の長さは２１９、４３７、８７２である。添加されたビットとアンテナ配置との間の関係は表２に示すとおりである。
【表７】
2020114014.tif 000009
【００４７】
他の一種のコードブックサブセット制限を設計する方法は、まず、アンテナ配置を区分するためのコードブックインデックスを設計してから、コードブックサブセット制限のビット対応表で対応するコードワードを選択する。変更後のアンテナ通知情報ユニットは以下に示すとおりである。
【表８】
2020114014.tif 000010
【表９】
2020114014.tif 000011
【００４８】
この設計では、コードブックサブセット制限はコードワードを選択するだけであり、アンテナ配置の区分に用いられないので、前の設計におけるビットを添加する部分が不要になる。表１において、ＴＸＲＵ数を考慮しない場合に、６種の異なるアンテナ配置が存在しているので、コードブック選択において６のインデックスがある。コードブック選択インデックスとアンテナ配置との対応関係は表３に示すとおりである。
【表１０】
2020114014.tif 000012
【００４９】
前記のように、二つの方案において、アンテナ配置の選択とＣＳＩ−ＲＳ伝送メカニズムとは異なる。第一の方案において、パラメーター行列（ＭＴＸＲＵ，Ｍ，Ｎ，Ｐ）は直接に得ることができるので、アンテナ配置は（Ｍ，Ｎ，Ｐ）である。一方、パラメーターＭＴＸＲＵとＮとによって、ＴＸＲＵ総数は（ＭＴＸＲＵ×Ｎ×Ｐ）であることを知るので、ＣＳＩ−ＲＳの数は（ＭＴＸＲＵ×Ｎ×Ｐ）となる。これらのＣＳＩ−ＲＳはＭＴＸＲＵ行、Ｎ列、Ｐ次元偏波方向に分布している。しかしながら、第二の方案において、ＴＸＲＵの数はコードブックサブセット制限により得ることができる。アンテナ配置の方について、表２又は表３により得ることができる。ＴＸＲＵ総数とアンテナ配置（Ｍ，Ｎ，Ｐ）とによって、ＣＳＩ−ＲＳの数ＮＣＳＩ−ＲＳ（それはＴＸＲＵ数に等しい）、及びＣＳＩ−ＲＳの分布を確定することができる。図９は、２行、４列上で分布している８ＣＳＩ−ＲＳの例であり、それはアンテナパラメーターが（１，８，４，２）、（２，８，４，１）、（１，４，４，２）、（２，４，４，１）である２Ｄアンテナアレイに用いられる。
【００５０】
なお、本開示の実施例によれば、以上で記載されたような無線通信システムは、ＬＴＥ−Ａ（Ｌｏｎｇ  Ｔｅｒｍ  Ｅｖｏｌｕｔｉｏｎ−Ａｄｖａｎｃｅｄ：ロング・ターム・エボリューション・アドバンスト）セルラー通信システムであってもよく、電子機器４００は、無線通信システムにおける基地局であってもよく、且つ電子機器４００は、アンテナアレイ４２０、通信ユニット４３０などを含んでもよい。通信ユニット４３０は、例えば、ＲＲＣシグナリングなどを無線通信システムにおけるＵＥに伝送してもよい。
【００５１】
以上で無線通信システムにおける基地局側の電子機器が記述された。次に、無線通信システムにおけるＵＥ側の電子機器を詳細に記述する。図７は、本開示の実施例による無線通信システムにおける電子機器７００の構成を図示している。
【００５２】
図７に示すように、電子機器７００は処理回路７１０を含んでもよい。なお、電子機器７００は一つの処理回路７１０を含んでもよく、複数の処理回路７１０を含んでもよい。また、電子機器７００は通信ユニット７２０などを含んでもよい。
【００５３】
処理回路７１０は、無線通信システムにおける基地局からのＲＲＣシグナリングからアンテナ配置情報を抽出することができる。
以上で言及されたように、同様に、処理回路７１０は、別々の機能ユニットを含んで各種の異なる機能及び／又は操作を実行する。これらの機能ユニットは、物理実体又は論理実体であってもよく、異なる呼称のユニットは同一の物理実体により実現される可能性ある。
例えば、処理回路７１０には、無線通信システムにおける基地局からのＲＲＣシグナリングからアンテナ配置情報を抽出する抽出ユニット（未図示）を含んでもよい。
【００５４】
以上で言及されたように、アンテナ配置情報は、基地局のアンテナアレイにおけるＴＸＲＵの数を得るために用いられてもよい。同様に、各ＴＸＲＵは同じ偏波方向を有する一組のアンテナユニットに関し、そして、アンテナアレイは、Ｍ行、Ｎ列、Ｐ次元偏波方向の複数のアンテナユニットを有する（Ｍ、Ｎ、Ｐが自然数である）。
【００５５】
好ましくは、アンテナ配置情報は、少なくともパラメーターＭＴＸＲＵに関する情報を得るために用いられてアンテナアレイの列ごとの各次元偏波方向のＴＸＲＵの数を指示してもよい。
【００５６】
好ましくは、パラメーターＭＴＸＲＵの値の範囲は、少なくとも１、２、４、８を含んでもよく、且つパラメーターＭＴＸＲＵの値はパラメーターＭの値以下である。
【００５７】
好ましくは、処理回路７１０（例えば、処理回路７１０に含まれる抽出ユニット）は、さらに、ＲＲＣシグナリングから３Ｄ  ＭＩＭＯ／ＦＤ  ＭＩＭＯシステムに利用可能なアンテナポート数に関する情報を抽出してＴＸＲＵの数を確定してもよい。
【００５８】
好ましくは、アンテナ配置パラメーターは、パラメーターＭＴＸＲＵ、パラメーターＭ、パラメーターＮ、パラメーターＰを含んでもよい。
【００５９】
好ましくは、処理回路７１０は、ＲＲＣシグナリングにおけるアンテナ通知情報ユニットと、ＣＳＩ−ＲＳ配置情報ユニットと、及びコードブックサブセット制限情報ユニットとの少なくとも一つを解析して、アンテナ配置情報を得てもよい。相応して、処理回路７１０には、前記解析操作を実行することができる解析ユニット（未図示）を含んでもよい。
【００６０】
好ましくは、処理回路７１０は、アンテナ配置情報に基づいてＣＳＩ（ｃｈａｎｎｅｌ  ｓｔａｔｅ  ｉｎｆｏｒｍａｔｉｏｎ：チャネル状態情報）フィードバックコードブック及びＣＳＩフィードバック方案の少なくとも一つを選択してもよい。より好ましくは、処理回路７１０は、アンテナ配置情報に基づいてＣＳＩフィードバックコードブックとＣＳＩフィードバックとの両方を選択してもよい。相応して、処理回路７１０には、前記選択操作を実行することできる選択ユニット（未図示）を含んでもよい。
【００６１】
なお、本開示の実施例によれば、以上で記載されたような無線通信システムはＬＴＥ−Ａセルラー通信システムであってもよく、電子機器７００は無線通信システムにおけるＵＥであってもよく、且つ電子機器７００は、受信機（例えば、通信ユニット７２０）をさらに含んでＲＲＣシグナリングを受け取ってもよい。
【００６２】
以上で本開示の実施例による無線通信システムにおける電子機器は記述された。次に、本開示の実施例による無線通信システムに無線通信を行うための方法を詳細に記述する。
【００６３】
本開示の実施例による、無線通信システムに無線通信を行うための方法は、無線通信システムにおける電子機器に対応するアンテナアレイに基づいて相応するＴＸＲＵ配置を確定することを含むことができる。なお、各ＴＸＲＵは同じ偏波方向を有する一組のアンテナユニットに関し、アンテナアレイはＭ行、Ｎ列、Ｐ次元偏波方向の複数のアンテナユニットを有する（Ｍ、Ｎ、Ｐが自然数である）。
【００６４】
当該方法は、アンテナ配置情報をＲＲＣシグナリングに添加して無線通信システムにおけるＵＥのために用いられることを含むことができる。なお、アンテナ配置情報は、アンテナアレイ内のＴＸＲＵの数を得るために用いられることができる。
【００６５】
好ましくは、アンテナ配置情報は、少なくともパラメーターＭＴＸＲＵに関する情報を得るために用いられて前記アンテナアレイの列ごとの各次元偏波方向のＴＸＲＵの数を指示してもよい。
【００６６】
好ましくは、パラメーターＭＴＸＲＵの値の範囲は、少なくとも１、２、４、８を含んでもよく、パラメーターＭＴＸＲＵの値はパラメーターＭの値以下である。
【００６７】
好ましくは、ＲＲＣシグナリングには、３Ｄ  ＭＩＭＯ／ＦＤ  ＭＩＭＯシステムに利用可能なアンテナポート数に関する情報を含んでＴＸＲＵの数を指示してもよい。
【００６８】
好ましくは、アンテナ配置情報は明示的にアンテナ配置パラメーターに関する情報を含んでもよい。
【００６９】
好ましくは、アンテナ配置パラメーターは、パラメーターＭＴＸＲＵ、パラメーターＭ、パラメーターＮ、パラメーターＰ及びその組合せのうちの一つ又は複数を含んでもよい。より好ましくは、アンテナ配置パラメーターはパラメーターＭＴＸＲＵ、パラメーターＭ、パラメーターＮ、パラメーターＰを含んでもよい。
【００７０】
好ましくは、アンテナ配置情報を、ＲＲＣシグナリングにおけるアンテナ通知情報ユニット又はＣＳＩ−ＲＳ配置情報ユニットに添加してもよい。
【００７１】
好ましくは、予定のビット数でアンテナ配置パラメーターの実際値又は実際値の関数を示してもよい。
【００７２】
好ましくは、アンテナ配置情報は、暗黙的にアンテナ配置パラメーターに関する情報を含んでもよい。
【００７３】
好ましくは、ＲＲＣシグナリングにおけるコードブックサブセット制限を利用してアンテナ配置情報を添加してもよい。
【００７４】
好ましくは、コードブックサブセット制限における、コードブックを選択するためのビット列に予定のビット数を添加することで前記アンテナ配置情報を表現してもよい。
【００７５】
好ましくは、コードブックサブセット制限にコードブックインデックスを添加することで前記アンテナ配置情報を表現してもよい。
【００７６】
一方、本開示の実施例による無線通信システムに無線通信を行うための方法は、無線通信システムにおける基地局からのＲＲＣシグナリングからアンテナ配置情報を抽出することを含んでもよい。
【００７７】
以上で言及されたように、アンテナ配置情報は、基地局のアンテナアレイにおけるトランシーバーユニットＴＸＲＵの数を得るために用いられてもよい。なお、各ＴＸＲＵは同じ偏波方向を有する一組のアンテナユニットに関し、アンテナアレイはＭ行、Ｎ列、Ｐ次元偏波方向の複数のアンテナユニットを有する（Ｍ、Ｎ、Ｐが自然数である）。
【００７８】
好ましくは、アンテナ配置情報は、少なくともパラメーターＭＴＸＲＵに関する情報を得るために用いられてアンテナアレイの列ごとの各次元偏波方向のＴＸＲＵの数を指示してもよい。
【００７９】
好ましくは、パラメーターＭＴＸＲＵの値の範囲は、少なくとも１、２、４、８を含んでもよく、パラメーターＭＴＸＲＵの値はパラメーターＭの値以下である。
【００８０】
好ましくは、さらに、前記ＲＲＣシグナリングから、３次元マルチ入力・マルチ出力３Ｄ  ＭＩＭＯ／フル次元マルチ入力・マルチ出力ＦＤ  ＭＩＭＯシステムに利用可能なアンテナポート数に関する情報を抽出して前記ＴＸＲＵの数を確定してもよい。
【００８１】
好ましくは、アンテナ配置パラメーターは、パラメーターＭＴＸＲＵ、パラメーターＭ、パラメーターＮ、パラメーターＰを含んでもよい。
【００８２】
好ましくは、ＲＲＣシグナリングにおけるアンテナ通知情報ユニットと、ＣＳＩ−ＲＳ配置情報ユニットと、コードブックサブセット制限情報ユニットとの少なくとも一つを解析して、アンテナ配置情報を得てもよい。
【００８３】
好ましくは、アンテナ配置情報に基づいて、チャネル状態情報ＣＳＩフィードバックコードブックと、ＣＳＩフィードバック方案との少なくとも一つを選択してもよい。より好ましくは、アンテナ配置情報に基づいてＣＳＩフィードバックコードブックとＣＳＩフィードバックとの両方を選択してもよい。
【００８４】
本開示の実施例による無線通信システムに無線通信を行うための方法の上記各ステップの各種の具体的な実施形態は前で詳細に記述されたので、ここで説明を重複しない。
【００８５】
以下、さらに、図８に基づいて本開示の実施例による無線通信システムにおける基地局側とユーザー側との間の信号交換フローを詳細に記述する。
【００８６】
図８は、本開示の実施例による無線通信システムに無線通信を行うための方法を図示するシーケンス図である。
【００８７】
図８に示すように、ステップＳ１０１において、ユーザーは基地局へＲＲＣ接続要求シグナリングを送信してＲＲＣ接続を確立する。
【００８８】
ステップＳ１０２において、基地局はユーザーへＲＲＣ接続確立シグナリングを送信し、その中にアンテナ通知情報ユニットとコードブックサブセット制限とを含んでいる。伝送の過程において、基地局は方案１又は方案２を選択してアンテナ配置情報を伝送してもよい。方案１では、パラメーター行列（ＭＴＸＲＵ，Ｍ，Ｎ，Ｐ）は明示的に送信される。方案２では、パラメーター行列（ＭＴＸＲＵ，Ｍ，Ｎ，Ｐ）は、コードブックサブセット制限、及び添加されたビット又はコードブック選択インデックスに応じて得られてもよい。
【００８９】
ステップＳ１０３において、ユーザーは、アンテナ配置情報に応じてＣＳＩフィードバック方案、及びコードブックを確定する。ＣＳＩフィードバック方案は、ＭＴＸＲＵ×Ｐ×Ｎ個のＣＳＩフィードバックに適用するべきである。
【００９０】
ステップＳ１０４において、ユーザーは基地局へＲＣＣ接続完了シグナリングを送信する。
【００９１】
ステップＳ１０５において、基地局はユーザーへＣＳＩ−ＲＳを送信する。
【００９２】
ステップＳ１０６において、ユーザーはチャネルを推定し、ＣＳＩフィードバック方案とコードブックとに応じてＣＳＩフィードバック情報を算出する。ＣＳＩ−ＲＳの数はＭＴＸＲＵ×Ｐ×Ｎであり、ユーザーは対応するＣＳＩフィードバック情報を算出すべきである。
【００９３】
ステップＳ１０７において、ユーザーは基地局へＣＳＩフィードバック情報を送信する。
【００９４】
ステップＳ１０８において、基地局はチャネルフィードバックを取得し、無線リソース管理と事前符号化を行う。
【００９５】
最後、Ｓ１０９ステップにおいて、ステップＳ１０５−Ｓ１０８を繰り返す。ＣＳＩ−ＲＳシグナリングが基地局に送信されてから無線リソース管理と事前符号化との間の過程は周期的に行われてもよい。
【００９６】
図９の基地局アンテナ配置が（１，８，４，２）と（２，４，４，１）であり、基地局が８アンテナポートを使用して８ＣＳＩ−ＲＳを伝送する例に基づいて本発明の作動方式を説明する。
【００９７】
アンテナ配置が（１，８，４，２）である場合に、方案１を使用してアンテナ配置を明示的に伝送することを仮定する。ＡｎｔｅｎｎａＩｎｆｏＤｅｄｉｃａｔｅｄ−ｒ１３において、各アンテナ配置パラメーターに対応する数値は、ａｎｔｅｎｎａＮｕｍｂｅｒＣｏｕｎｔＭ＝８、ａｎｔｅｎｎａＮｕｍｂｅｒＣｏｕｎｔＮ＝４、ａｎｔｅｎｎａＮｕｍｂｅｒＣｏｕｎｔＰ＝２、ａｎｔｅｎｎａＮｕｍｂｅｒＣｏｕｎｔＭＴＸＲＵ＝１となるべきである。基地局はこれらのパラメーター値をユーザーに伝えて、ユーザーはこれによって基地局のアンテナ配置が（１，８，４，２）であることを知ることができる。シグナリングは以下に示すとおりである。
【表１１】
2020114014.tif 000013
【００９８】
同様に、アンテナ配置が（２，４，４，１）である場合に、基地局が伝送するシグナリングは以下に示すとおりである。
【表１２】
2020114014.tif 000014
【００９９】
又は、基地局は方案を使用してアンテナ配置を暗黙的に伝送することを選択する。基地局のアンテナポート数が８であるので、ｃｏｄｅｂｏｏｋｓｕｂｓｅｔｒｅｓｔｒｉｃｔｉｏｎ−ｖ１３ｘｘにおいて基地局はｎ８ＴＸＡｎｔｅｎｎａ−ｔｍ１１−ｒ１３を選択して伝送すべきである。また、アンテナ配置パラメーターが（８，４，２）であるので、表２に応じて、８ＴＸＲＵの場合に、添加されたビットは０１０となるはずである（又はコードブックを使用してインデックスを選択し、この場合のインデックスは０１１となるはずである）。このように、ユーザーは当該情報に応じてアンテナパラメーター配置が（８，４，２）であることを知ることができる。加えて、ユーザーは基地局のＴＸＲＵ数が８であることが知られたので、ユーザーは、基地局の全体のアンテナ配置が（１，８，４，２）であることを知ることができる。シグナリングは以下に示すとおりである。
【表１３】
2020114014.tif 000015
【０１００】
同様に、アンテナ配置が（２，４，４，１）である場合に、添加されたビットは０１１となるはずである（又はコードブックを使用してインデックスを選択し、この場合のインデックスは１１０となるはずである）、基地局が伝送するシグナリングは以下に示すとおりである。
【表１４】
2020114014.tif 000016
【０１０１】
ユーザーがこの二種の基地局側のアンテナ配置を受信した場合に、ユーザーは対応するコードブックを選択してＣＳＩフィードバックを行う。基地局側のアンテナ配置が（１，８，４，２）である場合に、ユーザー機器は、例えば、同一の水平方向に８のＴＸＲＵがあると判断し、現在のＲｅｌ−１２の仮定アンテナ配置と同じであり、ＴＭ１０のうち８アンテナポートのコードブック、即ち、ｃｏｄｅｂｏｏｋ（１，８，４，２）＝ｃｏｄｅｂｏｏｋ８−ｔｍ１０を援用する。
相応して、ユーザー機器は当該コードブックから選択したコードワードインデックス（例えば、ＰＭＩ）を基地局にフィードバックする。基地局側のアンテナ配置が（２，４，４，１）である場合に、ユーザー機器は、例えば、高さが異なる２セットのＴＸＲＵが存在すると判断し、なお、それぞれのセットは４のＴＸＲＵを含んで４アンテナポートに対応し、これにより、２セットの４アンテナポートのコードブックを使用して、また、２セットのＴＸＲＵは高さの差によって相位がずれたので、この２セットのコードブックの間に関連性があり、ユーザー機器は例えば、ＴＭ１０の４アンテナポートコードブックを第一セットのコードブックとし、ＴＭ１０の４アンテナポートコードブックのコードワードにずれた相位θを加えて第二セットのコードブックを得る。即ち、
【数１】
2020114014.tif 000017
である。
相応して、ユーザー機器は上記コードブックから選択したコードワードインデックス（例えば、ＰＭＩ）及びずれた相位を基地局にそれぞれフィードバックする。
【０１０２】
ここから、基地局側のアンテナ配置、特にその中のＴＸＲＵ配置が異なる場合に、ユーザーは、基地局側のアンテナ配置に応じて完全に異なるＣＳＩフィードバックコードブックを選択する。一方、当該例において、ユーザー側ＣＳＩコードブックフィードバックの確定の過程において、ユーザーは、実際にＭＴＸＲＵと基地局側のポート数との二つのパラメーターを使用した。基地局側は、ユーザーへＭＴＸＲＵと、Ｎ×Ｐシグナリングのみを送信し、個別のＭ、Ｎ、Ｐの情報を不要する。一方、アンテナのポート数によって基地局側のＴＸＲＵ総数を確定できるので、基地局は、ＭＴＸＲＵと、Ｎ×Ｐとの一つを伝送するだけでユーザーに対応するアンテナコードブックを確定させることができる。よって、実際の場合に、基地局は、ユーザーへパラメーター行列（ＭＴＸＲＵ，Ｍ，Ｎ，Ｐ）の全部又はその中の一部を伝送する必要があるはずであり、こうすることによって、システムのシグナリングオーバーヘッドを低減させることもできる。
【０１０３】
実際の作動に際して、ユーザーは基地局へＲＲＣ接続要求シグナリングを送信してＲＲＣ接続を確立した直後、基地局はユーザーへＲＲＣ接続確立シグナリングを送信し、その中において基地局が以上のように方案１又は方案２を選択してアンテナ配置の相関情報をＲＲＣ接続確立シグナリングに添加することができる。ユーザーは受信したアンテナ配置情報に応じてＣＳＩフィードバックのための方案及びコードブックを確定し、その後、ユーザーは基地局へＲＲＣ接続確立完了シグナリングを送信する。その後、基地局がチャネル推定を行う必要がある場合に、基地局はユーザーへ図９に示すＣＳＩ−ＲＳを送信する。ユーザーは、ＣＳＩ−ＲＳを受信した後にチャネル測定を行ってから、先に確定したＣＳＩフィードバックの方案及びコードブックに応じてＣＳＩフィードバック情報を確定し基地局側に送信する。基地局側は、ＣＳＩフィードバックを得た後にチャネル推定を完了し、相応する無線リソース管理と事前符号化とを行う。
【０１０４】
本開示の実施例によれば、新しいアンテナ配置通知の設計において、基地局側アンテナの数とＴＸＲＵの数とをＵＥに通知してもよい。２Ｄアンテナアレイにおけるアンテナ数とＴＸＲＵ数と対する記述に示唆されて、パラメーター行列（ＭＴＸＲＵ，Ｍ，Ｎ，Ｐ）でＵＥへ全部のアンテナ配置を通知するのに十分である。
【０１０５】
本開示の実施例によれば、アンテナ通知情報ユニットと他の比較情報ユニットとの変更により、基地局のＵＥへのアンテナ配置情報の伝送を実現し、３Ｄ  ＭＩＭＯシステム下のＣＳＩフィードバックメカニズムを最適化し、３Ｄ  ＭＩＭＯシステムの伝送性能を向上させる。
【０１０６】
本開示の実施例によれば、３Ｄ  ＭＩＭＯシステムにおけるユーザーに基地局のアンテナ配置を知らせる。３Ｄ  ＭＩＭＯシステムにおいて、２Ｄアンテナアレイを使用したので、元の１Ｄアンテナアレイ情報のための通知ユニットを適用させないようになる。無線リソース管理において、アンテナ通知情報ユニットも必須である。本開示が提出している二種の方案はいずれも３Ｄ  ＭＩＭＯシステム下のアンテナ通知情報ユニットに応用できる。
【０１０７】
本開示の実施例によれば、３Ｄ  ＭＩＭＯシステムにおけるＣＳＩフィードバックフローを完了することができる。３Ｄ  ＭＩＭＯシステムに新しい垂直次元を導入したので、元のＣＳＩフィードバックフローは３Ｄ  ＭＩＭＯシステムに適用しない。３Ｄ  ＭＩＭＯシステムのＣＳＩフィードバックフローを実現するために、ユーザーは基地局側のアンテナ配置を知る必要があるが、本開示が設計するアンテナ通知メカニズムはこの目標を実現でき、ひいては、３Ｄ  ＭＩＭＯシステムにおけるＣＳＩフィードバックフローを完了する。
【０１０８】
本開示の実施例によれば、本開示が提供しているアンテナ配置通知方案は３Ｄ  ＭＩＭＯシステムに必須の一部であり、これにより、３Ｄ  ＭＩＭＯシステムが改善されたようになる。
【０１０９】
本開示の実施例によれば、方案は明示と暗黙との二つの方式を有し、そして指示しようとするアンテナ配置パラメーター間の連係を十分に考慮した。従って、本開示の方案はより良い柔軟性を有し、シグナリングオーバーヘッドが低く、標準の変更が小さく、未来の異なるアンテナ数組合せまで容易に拡張して使用するようになる。
【０１１０】
本開示の技術は各種の製品に応用できる。例えば、本開示で言及された基地局は、任意のタイプの進化型ノードＢ（ｅＮＢ）、例えばマクロｅＮＢとスモールｅＮＢとして実現されることが可能である。スモールｅＮＢはマクロセルより小さいセルをカバーするｅＮＢ、例えばピコファラドｅＮＢ、マイクロｅＮＢ、ホーム（フェムト）ｅＮＢであってもよい。その代わりに、基地局は、任意の他のタイプの基地局、例えばＮｏｄｅＢとベーストランシーバ基地局（ＢＴＳ）として実現されることが可能である。基地局は、無線通信を制御するように配置される本体（基地局デバイスとも称する）と、本体と異なる箇所に設置される一つ又は複数のリモート無線ヘッド（ＲＲＨ）とを含んでもよい。また、以下記述する各種のタイプの端末は、基地局機能を一時又は半恒久的に実行することにより基地局として作動する。
【０１１１】
例えば、本開示で言及されたＵＥは、例えば、移動端末（例えばスマートフォン、タブレットパソコンコンピュータ（ＰＣ）、ノートＰＣ、携帯型ゲーム端末、携帯型／ウオッチドッグ型移動ルータとデジタル撮像装置）又は車載端末（例えば自動車ナビゲーション装置）として実現されることが可能である。ＵＥは、マシンツーマシン（Ｍ２Ｍ）通信を実行する端末（マシン型通信（ＭＴＣ）端末とも称する）として実現されることも可能である。また、ＵＥは、上記端末における端末ごとに取り付けられた無線通信モジュール（例えば単一のチップを含む集積回路モジュール）であってもよい。
【０１１２】
図１０は、本開示の技術を応用できるｅＮＢの概略的な構成の第一の例を示すブロック図である。ｅＮＢ１０００は、一つ又は複数のアンテナ１０１０及び基地局デバイし１０２０を含む。基地局デバイス１０２０と各アンテナ１０１０はＲＦケーブルを介して互いに接続され得る。
【０１１３】
アンテナ１０１０の各々は、単一の又は複数のアンテナ素子（例えば、マルチ入力・マルチ出力（ＭＩＭＯ）アンテナに含まれる複数のアンテナ素子）を含み、基地局デバイス１０２０による無線信号の送受信のために用いられる。ｅＮＢ１０００は、図１０に示したように複数のアンテナ１０１０を含んでもよく、複数のアンテナ１０１０は、例えばｅＮＢ１０００が使用する複数の周波数帯域に共用してもよい。なお、図１０にはｅＮＢ１０００が複数のアンテナ１０１０を含む例を示したが、ｅＮＢ１０００は単一のアンテナ１０１０を含んでもよい。
【０１１４】
基地局デバイス１０２０は、コントローラ１０２１、メモリ１０２２、ネットワークインタフェース１０２３、及び無線通信インタフェース１０２５を含む。
【０１１５】
コントローラ１０２１は、例えばＣＰＵ又はＤＳＰであってよく、基地局デバイス１０２０の上位レイヤの様々な機能を操作する。例えば、コントローラ１０２１は、無線通信インタフェース１０２５により処理された信号内のデータからデータパケットを生成し、生成したパケットをネットワークインタフェース１０２３を介して転送する。コントローラ１０２１は、複数のベースバンドプロセッサからのデータをバンドリングすることによりバンドルドパケットを生成し、生成したバンドルドパケットを転送してもよい。また、コントローラ１０２１は、無線リソース管理、無線ベアラ制御、移動性管理、流入制御、及びスケジューリングのような制御を実行する論理的な機能を有してもよい。また、当該制御は、周辺のｅＮＢ又はコアネットワークノードと連携して実行されてもよい。メモリ１０２２は、ＲＡＭ及びＲＯＭを含み、コントローラ１０２１により実行されるプログラム、及び様々な制御データ（例えば、端末リスト、伝送電力データ及びスケジューリングデータなど）を記憶する。
【０１１６】
ネットワークインタフェース１０２３は基地局デバイス１０２０をコアネットワーク１０２４に接続するための通信インタフェースである。コントローラ１０２１はネットワークインタフェース１０２３を介してコアネットワークノード又は他のｅＮＢと通信してもよい。この場合、ｅＮＢ１０００とコアネットワークノード又は他のｅＮＢとはロジックインタフェース（例えばＳ１インタフェースとＸ２インタフェース）により互いに接続される。ネットワークインタフェース１０２３は有線通信インタフェース、又は無線バックホールのための無線通信インタフェースであってもよい。ネットワークインタフェース１０２３が無線通信インタフェースであると、ネットワークインタフェース１０２３は無線通信インタフェース１０２５により使用される周波数帯域よりも高い周波数帯域を無線通信に使用してもよい。
【０１１７】
無線通信インタフェース１０２５は、いずれかのセルラー通信方式（例えば、ＬＴＥ（Ｌｏｎｇ  Ｔｅｒｍ  Ｅｖｏｌｕｔｉｏｎ）、ＬＴＥ−Ａｄｖａｎｃｅｄ）をサポートし、アンテナ１０１０を介して、ｅＮＢ１０００のセル内に位置する端末までの無線接続を提供する。無線通信インタフェース１０２５は、一般、ベースバンド（ＢＢ）プロセッサ１０２６及びＲＦ回路１０２７を含んでもよい。ＢＢプロセッサ１０２６は、例えば、符号化／復号化、変調／復調及び多重化／逆多重化を実行してもよく、レイヤ（例えばＬ１、媒体アクセス制御（ＭＡＣ）、無線リンク制御（ＲＬＣ）、パケットデータ収束プロトコル（ＰＤＣＰ））のさまざまな信号処理を実行してもよい。コントローラ１０２１の代わりに、ＢＢプロセッサ１０２６は上記ロジック機能の一部又は全部を有してもよい。ＢＢプロセッサ１０２６は通信制御プログラムを記憶するメモリであってもよく、又はプログラムを実行するように配置されるプロセッサ及び関連する回路を含むモジュールであってもよい。ＢＢプロセッサ１０２６の機能はプログラムの更新により変更可能であってもよい。当該モジュールは基地局デバイス１０２０のスロットに挿入されるカード若しくはブレードであってもよい。代わりに、当該モジュールはカード若しくはブレードに搭載されるチップであってもよい。一方、ＲＦ回路１０２７は例えばミキサ、フィルタ及びアンプを含んでもよく、アンテナ１０１０を介して無線信号を送受信する。
【０１１８】
図１０に示すように、無線通信インタフェース１０２５は複数のＢＢプロセッサ１０２６を含んでもよい。例えば、複数のＢＢプロセッサ１０２６はｅＮＢ１０００が使用する複数の周波数帯域に共用される。図１０に示すように、無線通信インタフェース１０２５は複数のＲＦ回路１０２７を含んでもよい。例えば、複数のＲＦ回路１０２７は複数のアンテナ素子に共用される。図１０は無線通信インタフェース１０２５に複数のＢＢプロセッサ１０２６と複数のＲＦ回路１０２７とを含む例を示したが、無線通信インタフェース１０２５は単一のＢＢプロセッサ１０２６又は単一のＲＦ回路１０２７を含んでもよい。
【０１１９】
図１１は本開示の内容の技術を応用できるｅＮＢの概略的な構成の第二の例を示すブロック図である。ｅＮＢ１１３０は一つ又複数のアンテナ１１４０と、基地局デバイス１１５０と、ＲＲＨ１１６０とを含む。ＲＲＨ１１６０は各アンテナ１１４０とＲＦケーブルケーブルを介して互いに接続されてもよい。基地局デバイス１１５０とＲＲＨ１１６０は例えば光ファイバケーブルの高速回線で互いに接続されてもよい。
【０１２０】
アンテナ１１４０の各々は、単一の又は複数のアンテナ素子（例えば、ＭＩＭＯアンテナに含まれる複数のアンテナ素子）を含み、ＲＲＨ１１６０による無線信号の送受信のために用いられる。図１１に示すように、ｅＮＢ１１３０は複数のアンテナ１１４０を含んでもよい。例えば、複数のアンテナ１１４０はｅＮＢ１１３０が使用する複数の周波数帯域に共用されてもよい。図１１はｅＮＢ１１３０が複数のアンテナ１１４０を含む例を示したが、ｅＮＢ１１３０は単一のアンテナ１１４０を含んでもよい。
【０１２１】
基地局デバイス１１５０は、コントローラ１１５１、メモリ１１５２、ネットワークインタフェース１１５３、無線通信インタフェース１１５５、及び接続インタフェース１１５７を含む。コントローラ１１５１、メモリ１１５２、及びネットワークインタフェース１１５３は図１０を参考して記述されたコントローラ１０２１、メモリ１０２２、及びネットワークインタフェース１０２３と同じである。
【０１２２】
無線通信インタフェース１１５５はいずれかのセルラー通信方式（例えばＬＴＥ、ＬＴＥ−Ａｄｖａｎｃｅｄ）をサポートし、ＲＲＨ１１６０とアンテナ１１４０とを介してＲＲＨ  １１６０に対応するセクタ内に位置する端末までの無線接続を提供する。無線通信インタフェース１１５５は、一般、例えばＢＢプロセッサ１１５６を含んでもよい。ＢＢプロセッサ１１５６が接続インタフェース１１５７を介してＲＲＨ１１６０のＲＦ回路１１６４と接続されることを除き、ＢＢプロセッサ１１５６は図１０を参考して記述されたＢＢプロセッサ１０２６と同じである。図１１に示すように、無線通信インタフェース１１５５は複数のＢＢプロセッサ１１５６を含んでもよい。例えば，複数のＢＢプロセッサ１１５６はｅＮＢ１１３０が使用する複数の周波数帯域に共用されてもよい。図１１は無線通信インタフェース１１５５が複数のＢＢプロセッサ１１５６を含む例を示したが、無線通信インタフェース１１５５は単一のＢＢプロセッサ１１５６を含んでもよい。
【０１２３】
接続インタフェース１１５７は基地局デバイス１１５０（無線通信インタフェース１１５５）をＲＲＨ１１６０に接続するためのインタフェースである。接続インタフェース１１５７は基地局デバイス１１５０（無線通信インタフェース１１５５）をＲＲＨ１１６０と接続する上記高速回線での通信のための通信モジュールであってもよい。
【０１２４】
ＲＲＨ１１６０は接続インタフェース１１６１と無線通信インタフェース１１６３とを含む。
【０１２５】
接続インタフェース１１６１はＲＲＨ１１６０（無線通信インタフェース１１６３）を基地局デバイス１１５０に接続するためのインタフェースである。接続インタフェース１１６１は上記高速回線での通信のための通信モジュールであってもよい。
【０１２６】
無線通信インタフェース１１６３は、アンテナ１１４０を介して無線信号を送受信する。無線通信インタフェース１１６３は、一般、例えばＲＦ回路１１６４を含んでもよい。ＲＦ回路１１６４は、例えばミキサ、フィルタ及びアンプなどを含んでもよく、アンテナ１１４０を介して無線信号を送受信する。図１１に示すように、無線通信インタフェース１１６３は複数のＲＦ回路１１６４を含んでもよい。例えば、複数のＲＦ回路１１６４は複数のアンテナ素子をサポートし得る。図１１は無線通信インタフェース１１６３が複数のＲＦ回路１１６４を含む例を示したが、無線通信インタフェース１１６３は単一のＲＦ回路１１６４を含んでもよい。
【０１２７】
図１０と図１１に示すｅＮＢ１０００とｅＮＢ１１３０において、図４を使用して記述した通信ユニット４３０は、無線通信インタフェース１０２５及び無線通信インタフェース１１５５及び／又は無線通信インタフェース１１６３により実現されてもよい。機能の少なくとも一部はコントローラ１０２１とコントローラ１１５１により実現されてもよい。
【０１２８】
図１２は本開示の技術を応用できるスマートフォン１２００の概略的な構成の一例を示すブロック図である。スマートフォン１２００は、プロセッサ１２０１、メモリ１２０２、記憶装置１２０３、外部接続インタフェース１２０４、撮像装置１２０６、センサ１２０７、マイクロフォン１２０８、入力装置１２０９、表示装置１２１０、スピーカ１２１１、無線通信インタフェース１２１２、一つ又は複数のアンテナスイッチ１２１５、一つ又は複数のアンテナ１２１６、バス１２１７、バッテリー１２１８、及び補助コントローラ１２１９を含む。
【０１２９】
プロセッサ１２０１は例えばＣＰＵ又はＳｏＣ（Ｓｙｓｔｅｍ  ｏｎ  Ｃｈｉｐ）であってもよく、スマートフォン１２００のアプリケーションレイヤ及びその他のレイヤの機能を制御する。メモリ１２０２はＲＡＭとＲＯＭを含み、データと、プロセッサ１２０１により実行されるプログラムを記憶する。記憶装置１２０３は記憶媒体、例えば半導体メモリ又はハードディスクを含んでもよい。外部接続インタフェース１２０４は、外部装置（例えばメモリーカード又はＵＳＢ（Ｕｎｉｖｅｒｓａｌ  Ｓｅｒｉａｌ  Ｂｕｓ）デバイス）をスマートフォン１２００に接続するためのインタフェースである。
【０１３０】
撮像装置１２０６が画像センサ（例えばＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ））を含み、撮像画像を生成する。センサ１２０７は例えば、測定センサ、ジャイロセンサ、地磁気センサ及び加速度センサなどのセンサ群を含んでもよい。マイクロフォン１２０８はスマートフォン１２００に入力される音声を音声信号に変換する。入力装置１２０９は例えば表示装置１２１０のスクリーン上のタッチを検出するように配置されるタッチセンサ、キーパッド、キーボード、ボタン又はスイッチを含み、ユーザーから入力される操作又は情報を受信する。表示装置１２１０はスクリーン（例えば液晶ディスプレイ（ＬＣＤ）、有機発光ダイオード（ＯＬＥＤ）ディスプレイ）を含み、スマートフォン１２００の出力画像を表示する。スピーカ１２１１はスマートフォン１２００から出力される音声信号を音声に変換する。
【０１３１】
無線通信インタフェース１２１２はいずれかのセルラー通信方式（例えばＬＴＥ、ＬＴＥ−Ａｄｖａｎｃｅｄ）をサポートし、無線通信を実行する。無線通信インタフェース１２１２は、一般に、例えばＢＢプロセッサ１２１３とＲＦ回路１２１４とを含んでもよい。ＢＢプロセッサ１２１３は例えば符号化／復号化、変調／復調及び多重化／逆多重化を実行してもよく、無線通信のための様々な信号処理を実行する。一方、ＲＦ回路１２１４は例えばミキサ、フィルタ及びアンプを含んでもよく、アンテナ１２１６を介して無線信号を送受信する。無線通信インタフェース１２１２はＢＢプロセッサ１２１３とＲＦ回路１２１４を集積したワンチップのモジュールであってもよい。図１２に示すように、無線通信インタフェース１２１２は複数のＢＢプロセッサ１２１３と複数のＲＦ回路１２１４を含んでもよい。図１２は無線通信インタフェース１２１２が複数のＢＢプロセッサ１２１３と複数のＲＦ回路１２１４を含む例を示したが、無線通信インタフェース１２１２は単一のＢＢプロセッサ１２１３又は単一のＲＦ回路１２１４を含んでもよい。
【０１３２】
また、セルラー通信方式を除き、無線通信インタフェース１２１２は他の種類の無線通信方式、例えば近距離無線通信方式、近接無線通信方式又は無線ＬＡＮ（Ｌｏｃａｌ  Ａｒｅａ  Ｎｅｔｗｏｒｋ）方案をサポートしてもよい。この場合、無線通信インタフェース１２１２は無線通信方式ごとのＢＢプロセッサ１２１３とＲＦ回路１２１４を含んでもよい。
【０１３３】
アンテナスイッチ１２１５の各々は、無線通信インタフェース１２１２に含まれる複数の回路（例えば、異なる無線通信方式のための回路）の間でアンテナ１２１６の接続先を切り替える。
【０１３４】
アンテナ１２１６の各々は単一の又は複数のアンテナ素子（例えば、ＭＩＭＯアンテナに含まれる複数のアンテナ素子）を含み、無線通信インタフェース１２１２による無線信号の送受信のために用いられる。図１２に示すように、スマートフォン１２００は複数のアンテナ１２１６を含んでもよい。図１２はスマートフォン１２００が複数のアンテナ１２１６を含む例を示したが、スマートフォン１２００は単一のアンテナ１２１６を含んでもよい。
【０１３５】
また、スマートフォン１２００は無線通信方式ごとにアンテナ１２１６を含んでもよい。この場合、アンテナスイッチ１２１５はスマートフォン１２００の構成から省略されてもよい。
【０１３６】
バス１２１７は、プロセッサ１２０１、メモリ１２０２、記憶装置１２０３、外部接続インタフェース１２０４、撮像装置１２０６、センサ１２０７、マイクロフォン１２０８、入力装置１２０９、表示装置１２１０、スピーカ１２１１、無線通信インタフェース１２１２及び補助コントローラ１２１９を互いに接続する。バッテリー１２１８は図中に破線で部分的に示した支線を介して図１２に示すスマートフォン１２００の各ブロックに電力を供給する。補助コントローラ１２１９は例えば、スリープモードにおいて、スマートフォン１２００の必要最低限の機能を動作させる。
【０１３７】
図１２に示すスマートフォン１２００において、図７を使用して記述された通信ユニット７２０は、無線通信インタフェース１２１２により実現されてもよい。その機能の少なくとも一部がプロセッサ１２０１又は補助コントローラ１２１９により実現されてもよい。
【０１３８】
図１３は本開示の技術を応用できるカーナビゲーション装置１３２０の概略的な構成の一例を示すブロック図である。カーナビゲーション装置１３２０は、プロセッサ１３２１、メモリ１３２２、ＧＰＳ（Ｇｌｏｂａｌ  Ｐｏｓｉｔｉｏｎｉｎｇ  Ｓｙｓｔｅｍ）モジュール１３２４、センサ１３２５、データインタフェース１３２６、コンテンツプレーヤ１３２７、記憶媒体インタフェース１３２８、入力装置１３２９、表示装置１３３０、スピーカ１３３１、無線通信インタフェース１３３３、一つ又は複数のアンテナスイッチ１３３６、一つ又は複数のアンテナ１３３７及びバッテリー１３３８を含む。
【０１３９】
プロセッサ１３２１は例えばＣＰＵ又はＳｏＣであってもよく、カーナビゲーション装置１３２０のナビゲーション機能及びその他の機能を制御する。メモリ１３２２はＲＡＭとＲＯＭを含み、データと、プロセッサ１３２１により実行されるプログラムを記憶する。
【０１４０】
ＧＰＳモジュール１３２４はＧＰＳ衛星から受信されるＧＰＳ信号を用いて、カーナビゲーション装置１３２０の位置（例えば、緯度、経度及び高度）を測定する。センサ１３２５は、例えば、ジャイロセンサ、地磁気センサ及び気圧センサのセンサ群を含んでもよい。データインタフェース１３２６は、図示しない端末を介して例えば、車載ネットワーク１３４１に接続され、車両側で生成されるデータ（例えば車速データ）を取得する。
【０１４１】
コンテンツプレーヤ１３２７は記憶媒体インタフェース１３２８に挿入される記憶媒体（例えば、ＣＤ又はＤＶＤ）に記憶されているコンテンツを再生する。入力装置１３２９は例えば表示装置１３３０のスクリーン上のタッチを検出するように配置されるタッチセンサ、ボタン又はスイッチを含み、ユーザから入力される操作又は情報を受信する。表示装置１３３０は例えばＬＣＤ又はＯＬＥＤディスプレイのスクリーンを含み、ナビゲーション機能の画像又は再生されるコンテンツを表示する。スピーカ１３３１は、ナビゲーション機能の音声又は再生されるコンテンツを出力する。
【０１４２】
無線通信インタフェース１３３３はいずれかのセルラー通信方式（例えばＬＴＥ、ＬＴＥ−Ａｄｖａｎｃｅｄ）をサポートし、無線通信を実行する。無線通信インタフェース１３３３は、一般に、例えばＢＢプロセッサ１３３４とＲＦ回路１３３５とを含んでもよい。ＢＢプロセッサ１３３４は例えば符号化／復号化、変調／復調及び多重化／逆多重化を実行してもよく、無線通信のための様々な信号処理を実行する。一方、ＲＦ回路１３３５は例えばミキサ、フィルタ及びアンプを含んでもよく、アンテナ１３３７を介して無線信号を送受信する。無線通信インタフェース１３３３はＢＢプロセッサ１３３４とＲＦ回路１３３５を集積したワンチップのモジュールであってもよい。図１３に示すように、無線通信インタフェース１３３３は複数のＢＢプロセッサ１３３４と複数のＲＦ回路１３３５を含んでもよい。図１３は無線通信インタフェース１３３３が複数のＢＢプロセッサ１３３４と複数のＲＦ回路１３３５を含む例を示したが、無線通信インタフェース１３３３は単一のＢＢプロセッサ１３３４又は単一のＲＦ回路１３３５を含んでもよい。
【０１４３】
また、セルラー通信方式を除き、無線通信インタフェース１３３３は他の種類の無線通信方式、例えば、近距離無線通信方式、近接無線通信方式又は無線ＬＡＮ方式をサポートしてもよい。この場合、無線通信方式ごとに、無線通信インタフェース１３３３はＢＢプロセッサ１３３４とＲＦ回路１３３５を含んでもよい。
【０１４４】
アンテナスイッチ１３３６の各々は、無線通信インタフェース１３３３に含まれる複数の回路（例えば、異なる無線通信方式のための回路）の間でアンテナ１３３７の接続先を切り替える。
【０１４５】
アンテナ１３３７中の各々は、単一の又は複数のアンテナ素子（例えば、ＭＩＭＯアンテナに含まれる複数のアンテナ素子）を含み、無線通信インタフェース１３３３による無線信号の送受信のために用いられる。図１３に示すように、カーナビゲーション装置１３２０は複数のアンテナ１３３７を含んでもよい。図１３はカーナビゲーション装置１３２０が複数のアンテナ１３３７を含む例を示したが、カーナビゲーション装置１３２０は単一のアンテナ１３３７を含んでもよい。
【０１４６】
カーナビゲーション装置１３２０は無線通信方式ごとにアンテナ１３３７を含んでもよい。この場合、アンテナスイッチ１３３６はカーナビゲーション装置１３２０の構成から省略されてもよい。
【０１４７】
バッテリー１３３８は、図中に破線で部分的に示した支線を介して、図１３に示したカーナビゲーション装置１３２０の各ブロックに電力を供給する。また、バッテリー１３３８は、車両側から給電される電力を蓄積する。
【０１４８】
図１３に示すカーナビゲーション装置１３２０において、図７を使用して記述された通信ユニット７２０は、無線通信インタフェース１３３３により実現されてもよい。その機能の少なくとも一部はプロセッサ１３２１により実現されてもよい。
【０１４９】
本開示の内容の技術は、カーナビゲーション装置１３２０と、車載ネットワーク１３４１と、車両モジュール１３４２との１つ又は複数のブロックを含む車載システム（又は車両）１３４０として実現されてもよい。車両モジュール１３４２は車両データ（例えば車速、エンジン回転数、故障情報）を生成し、生成したデータを車載ネットワーク１３４１に出力する。
【０１５０】
本開示のシステムと方法において、各部品又は各ステップは分割及び／又は再組み合わせることが可能である。これらの分割及び／又は再組み合わせは本発明の等価方案と見なすべきである。そして、上記一連の処理を実行するステップは、自然に説明の順で時間順に従って実行されるが、必ず時間順に従って実行される必要がない。あるステップは並行又は独立に実行されることが可能である。
【０１５１】
以上で図面を結合して本開示の実施例を詳細に記述したが、以上で記述された実施形態は、本開示を説明するためのものであり、限定ではない。当業者にとって、上記実施形態について、各種の修正、変更を行い得るが、本発明の本質と範囲から逸脱しない。従って、本発明の範囲は付随する特許請求の範囲及び均等意味のみに限定される。
【図１】
2020114014.tif 000018
【図２】
2020114014.tif 000019
【図３】
2020114014.tif 000020
【図４】
2020114014.tif 000021
【図５】
2020114014.tif 000022
【図６】
2020114014.tif 000023
【図７】
2020114014.tif 000024
【図８】
2020114014.tif 000025
【図９】
2020114014.tif 000026
【図１０】
2020114014.tif 000027
【図１１】
2020114014.tif 000028
【図１２】
2020114014.tif 000029
【図１３】
2020114014.tif 000030